(57)【特許請求の範囲】
【請求項１】
予め特定の用紙サイズに対応させてスリット部が形成された用紙支持面と、
前記用紙支持面上を移動可能に設けられた用紙ガイドと、
前記用紙ガイドに設けられ、前記スリット部に係合することにより、前記用紙ガイドを選択した用紙サイズの位置に位置決めさせる用紙ガイド位置決め部材とを有する用紙収容装置において、
所定ピッチのラックを備えたラック部材を前記スリット部に対し着脱自在に設けるとともに、前記用紙ガイド位置決め部材の前記スリット部に装着されたラック部材のラックと対向する部位に、前記ラックと係合可能なラックを有するラック部を設けたことを特徴とする用紙収容装置。
【請求項２】
前記スリット部に前記ラック部材を装着した時に用いる用紙ガイド位置決め部材と、前記スリット部に前記ラック部材を装着していない時に用いる用紙ガイド位置決め部材とを、前記用紙ガイドに対し交換可能に設けたことを特徴とする請求項１記載の用紙収容装置。
【発明の詳細な説明】
【０００１】
【発明の属する技術分野】
本発明は、用紙を積載させて収容する用紙収容装置に関するものである。
【０００２】
【従来の技術】
用紙を積載させて収容する用紙収容装置は、例えばレーザプリンタや複写機などの給紙装置として用いられている。この種の用紙収容装置においては、単一の用紙収容装置において例えばＢ５サイズ用紙、Ｂ４サイズ用紙、Ａ４サイズ用紙およびＡ３サイズ用紙の内、選択されたサイズの用紙を収容できるように移動自在な用紙ガイドを備えているのが一般的であり、用紙ガイドの位置決め構成については種々提案がなされている。
【０００３】
用紙ガイドの位置決め構成の１つとして、用紙ガイドに、該用紙ガイドを所定の用紙サイズの位置に位置決めするための位置決め部材を設け、この位置決め部材の先端部を用紙収容装置の用紙支持面などに設けられたスリット部に係合させることにより、用紙ガイドを位置決めする構成が知られている。
【０００４】
【発明が解決しようとする課題】
従来構成においては、Ｂ５、Ｂ４、Ａ４、Ａ３等の特定サイズの用紙に対しては、用紙ガイドを正確に位置決めさせることができるが、上記特定サイズと異なるサイズの用紙（以下、「不定形用紙」と称する）を使用する場合は対応できず、不定形用紙を使用したい場合には、当該不定形用紙専用の用紙収容装置に取り換えなければならないという問題が生じていた。
【０００５】
本発明の目的は、特定サイズの用紙にしか対応できない用紙収容装置に補助部材を追加することにより、用紙ガイドを任意の位置に位置決めすることが可能となり、不定形用紙にも対応可能となる用紙収容装置を提供することにある。
【０００６】
【課題を解決するための手段】
上記の目的は、予め特定の用紙サイズに対応させてスリット部が形成された用紙支持面と、前記用紙支持面上を移動可能に設けられた用紙ガイドと、前記用紙ガイドに設けられ、前記スリット部に係合することにより、前記用紙ガイドを選択した用紙サイズの位置に位置決めさせる用紙ガイド位置決め部材とを有する用紙収容装置において、所定ピッチのラックを備えたラック部材を前記スリット部に対し着脱自在に設けるとともに、前記用紙ガイド位置決め部材の前記スリット部に装着されたラック部材のラックと対向する部位に、前記ラックと係合可能なラックを有するラック部を設けることにより達成される。
【０００７】
【発明の実施の形態】
以下、実施例の実施例を図面を用いて説明する。
図１は本発明の用紙収容装置の要部断面図、図２は本発明の用紙収容装置の全体斜視図、図３は本発明の用紙収容装置の要部拡大斜視図、図４はラック部材の全体斜視図である。なお、本実施例においては用紙収容装置を給紙装置に用いられる給紙ホッパを例示して説明する。
【０００８】
図２に示すように、給紙ホッパＡは、用紙支持面４と、用紙支持面４上を移動可能に設けられた用紙ガイド２と、用紙ガイド２に設けられ、後に説明するスリット部に係合することにより用紙ガイド２を選択した用紙サイズの位置に位置決めさせる用紙ガイド位置決め部材１とを備えており、側面に設けられた案内部材８，９が給紙装置本体（図示せず）に設けられたレールに係合支持されることにより、給紙ホッパＡは給紙装置本体に対し引き出し自在に設けられる。
【０００９】
用紙ガイド位置決め部材１と用紙ガイド２とは、図３に示すスプリング５と、回転部２ａによって連結されており、スプリング５の一端は用紙ガイド位置決め部材１の一部に着脱可能に取り付けられ、スプリング５の他端は用紙ガイド２の一部に取り付けられている（図３は用紙ガイド２を破断した状態で図示しているが、実際は用紙ガイド２は図１のような形状構成をしており、スプリング５の他端は用紙ガイド２の裏面に取り付けられている）。また、用紙支持面４には予め特定の用紙サイズに対応させてスリット部４ａが形成されている。
【００１０】
スリット部４ａには、図４に示すように所定ピッチのラック３ａを備えたラック部材３が装着可能であり、ラック部材３に形成された突起部３ｂをスリット部４ａに係合させることにより図１に示すようにラック部材３がセットされる。また、用紙ガイド位置決め部材１の、スリット部４ａに装着されたラック部材３のラック３ａと対向する部位には、ラック３ａと係合可能なラックを有するラック部１ａが設けられており、ラック部材３のラック３ａとラック部１ａのラックとが噛み合って用紙ガイド２が位置決めされる。さらに、用紙ガイド位置決め部材１はスプリング５によりラック部材３側に圧接され確実に用紙ガイド２が位置決めされる。なお、図１において７は用紙支持面４に積載収容された用紙である。
【００１１】
用紙ガイド２を任意の位置に移動させる場合は、図１において矢印方向に用紙ガイド位置決め部材１を回動させ、用紙ガイド位置決め部材１とラック部材３との係合状態を解除させた状態で、図１紙面に対し垂直方向に用紙ガイド２を移動させ、所定位置に用紙ガイド２を移動させた後、用紙ガイド位置決め部材１を離すとスプリング５の復元力により用紙ガイド位置決め部材１とラック部材３とが係合し、用紙ガイド２が位置決めされる。
【００１２】
また、ラック部材３を取り外した場合は、用紙ガイド位置決め部材１の先端がスリット部４ａに直接係合し、特定の用紙サイズにのみ対応可能となる。
【００１３】
なお、上記実施例においては、スリット部４ａにラック部材３を装着した時と装着しない時とで用紙ガイド位置決め部材１を兼用して用いる構成として説明したが、ラック部材３を装着した時と装着しない時とで用紙ガイド位置決め部材を交換するようにしてもよい。
【００１４】
その場合は、図５に示すように、ラック部を持たない用紙ガイド位置決め部材６を準備しておき、用紙ガイド位置決め部材１からスプリング５を外し、回転部２ａから用紙ガイド位置決め部材１を取り外し、用紙ガイド位置決め部材６に交換する。
【００１５】
【発明の効果】
以上述べたように本発明によれば、特定サイズの用紙にしか対応できない用紙収容装置に補助部材を追加することにより、用紙ガイドを任意の位置に位置決めすることが可能となり、不定形用紙にも対応可能となる用紙収容装置を提供することができる。
【図面の簡単な説明】
【図１】本発明の用紙収容装置の要部断面図。
【図２】本発明の用紙収容装置の全体斜視図。
【図３】本発明の用紙収容装置の要部拡大斜視図。
【図４】ラック部材の全体斜視図。
【図５】本発明の他の実施例を示す要部断面図。
【符号の説明】
１…用紙ガイド位置決め部材、２…用紙ガイド、３…ラック部材、４…用紙支持面。
【図１】
0003603297.tif 000002
【図２】
0003603297.tif 000003
【図３】
0003603297.tif 000004
【図４】
0003603297.tif 000005
【図５】
0003603297.tif 000006